(57)【要約】【課題】  釣竿を上下方向のみならず左右方向にも自由に揺動させることのできる釣竿保持具を部品点数を少なく簡素に構成し、安価に作製できるようにする。【解決手段】  船縁等に取り付けるための取付体２の上部に、揺動受け枠体７に揺動自在な揺動軸８を設け、この揺動軸８に、釣竿を保持する保持体３を連結することで、釣竿が揺動軸８によって上下方向に揺動できるようにし、揺動軸８に設けた嵌合穴８ｈに、保持体３の嵌合軸９を回動自在に嵌合させて連結することで、釣竿が左右方向にも揺動できるようにする。【選択図】      図４
2011211986.tif 000002
【特許請求の範囲】
【請求項１】
船縁等に取り付けるための取付体と、釣竿を保持するための保持体を備え、この保持体に保持される釣竿の先端部が、水平軸まわりに回動自在な揺動軸によって上下方向に揺動自在にされる釣竿保持具であって、前記揺動軸の内部に、釣竿の先端部を左右方向に揺動させるための左右揺動機構を組み込んだことを特徴とする釣竿保持具。
【請求項２】
前記揺動軸には、釣竿先端部が下方になるように保持体を揺動させる際、保持体の揺動角度が一定以上にならないように規制するためのストッパが設けられることを特徴とする請求項１に記載の釣竿保持具。
【請求項３】
前記取付体には、釣竿先端部が上方になるように保持体を縦向き姿勢にした際に保持体の一部に係合して該保持体を固定する係合部材が設けられることを特徴とする請求項１又は請求項２に記載の釣竿保持具。
【請求項４】
前記取付体には、釣糸の一部を引っ掛けて保持するための釣糸保持部材が設けられることを特徴とする請求項１乃至請求項３のいずれか１項に記載の釣竿保持具。
【発明の詳細な説明】
【技術分野】
【０００１】
本発明は、例えば船釣り等において釣竿を上下・左右に揺動可能な状態で保持しておくことのできる保持具に関する。
【背景技術】
【０００２】
従来、例えばイカを釣る船釣り等において、釣竿を上下に揺動させながら釣るいわゆるシャクリ釣りが行われており、この際、釣り人の労力を軽減させるためシャクリ動作可能な釣竿保持具が知られている。（例えば、特許文献１、特許文献２参照。）
また、釣竿を上下方向に揺動させるだけでは釣りの領域が限定され潮の流れ等にも対応できないため、釣竿を上下方向だけでなく左右方向にも揺動させることのできる保持具も提案されている。（例えば、特許文献３参照。）
【先行技術文献】
【特許文献】
【０００３】
【特許文献１】実開平４−６２０７６号公報
【特許文献２】登録実用新案第３００４００４号公報
【特許文献３】特開２００２−２３８４２９号公報
【発明の概要】
【発明が解決しようとする課題】
【０００４】
ところが、特許文献３の技術の場合、釣竿を上下に揺動させるための上下揺動機構と、左右に揺動させるための左右揺動機構とが上下に分離して独立に形成されているため（同公報の図９）、装置が複雑化するとともに部品点数が増加し、製造コストが嵩むという問題があった。
【０００５】
そこで本発明は、釣竿を上下方向のみならず左右方向にも自由に揺動させることのできる釣竿保持具を部品点数を少なく簡素に構成し、安価に作製できるようにすることを目的とする。
【課題を解決するための手段】
【０００６】
上記目的を達成するため本発明は、船縁等に取り付けるための取付体と、釣竿を保持するための保持体を備え、この保持体に保持される釣竿の先端部が、水平軸まわりに回動自在な揺動軸によって上下方向に揺動自在にされる釣竿保持具において、前記揺動軸の内部に、釣竿の先端部を左右方向に揺動させるための左右揺動機構を組み込むようにした。
【０００７】
このように、釣竿を上下に揺動させるための揺動軸の内部に、釣竿を左右に揺動させるための左右揺動機構を組み込めば、装置全体がコンパクトに纏まるとともに、部品点数が少なくなって安価に構成できる。
【０００８】
また本発明では、前記揺動軸に、釣竿先端部が下方になるように保持体を揺動させる際、保持体の揺動角度が一定以上にならないように規制するためのストッパを設けるようにした。
ここで、左右揺動機構として、例えば、釣竿を保持する保持体の嵌合軸を、揺動軸に形成した嵌合穴に嵌合させるような場合に、保持体の姿勢が垂直姿勢に近づくと、嵌合軸が水平姿勢に近づき、釣竿の自重等によって嵌合軸が嵌合穴から外れて釣竿が船外等に落下しやすくなる。このため、保持体の揺動角度を一定に規制することで、嵌合軸が嵌合穴から外れやすくなるような不具合を抑制できる。
【０００９】
また本発明では、前記取付体に、釣竿先端部が上方になるように保持体を縦向き姿勢にした際に保持体の一部に係合して該保持体を固定する係合部材を設けるようにした。
このように、釣竿先端部が上方を向くように保持体を縦向き姿勢にするのは、例えば、釣り針の餌を取り換えたり取り付けたりするときや、船の位置を移動させるため海中から釣糸を引き上げる必要があるときなどであり、このような姿勢で係合部材によって保持体を固定できれば、釣り人が釣竿を支えておかなくてもよくなるため便利である。
【００１０】
また本発明では、前記取付体に、釣糸の一部を引っ掛けて保持するための釣糸保持部材を設けるようにした。
これも、例えば海中から釣糸を引き上げて釣竿先端部が上方になるような姿勢にした際、釣竿先端部から下方に垂れ下がる釣糸がぶらぶらのままであると、釣糸が引っ掛かったりして不便である。このため、釣糸保持部材に釣糸の一部を引っ掛けておくようにすれば、特に船の位置を移動させるような際には便利である。
【発明の効果】
【００１１】
釣竿を保持するための保持体が回動自在な揺動軸によって回動自在となり、保持体で保持される釣竿の先端部が上下方向に揺動自在な釣竿保持具において、揺動軸の内部に、釣竿の先端部を左右方向に揺動させるための左右揺動機構を組み込んだため、装置全体がコンパクトに纏まり、部品点数が少なくなって安価に構成できる。この際、前記揺動軸に、保持体の揺動角度が一定以上にならないように規制するためのストッパを設けることで、保持体や釣竿が船外に落下しやくなるのを防止できる。
また、取付体に、釣竿先端部が上方になるように保持体を縦向き姿勢にした際に保持体の一部に係合して保持体を固定する係合部材を設ければ、例えば、餌を取り換えたり、船の位置を移動させるようなときに、海中から釣糸を引き上げた釣竿を縦向き姿勢で固定することができ、また、取付体に、釣糸の一部を引っ掛けて保持するための釣糸保持部材を設けることで、釣竿先端部から下方に下がる釣糸を安定して保持できる。
【図面の簡単な説明】
【００１２】
【図１】本発明に係る釣竿保持具の斜視図である。
【図２】同釣竿保持具の側面図である。
【図３】同釣竿保持具の保持体を係合部材で固定した状態の説明図である。
【図４】同釣竿保持具の保持体を取付体から取り外した状態の分解図である。
【図５】揺動軸に組み込まれる左右揺動機構のうち、揺動軸の嵌合穴の内部を示す説明図である。
【図６】揺動軸に組み込まれる左右揺動機構のうち、保持体の嵌合軸の説明図であり、（ａ）は正面図、（ｂ）は（ａ）のＢ視図である。
【図７】揺動軸に設けられる係合ピンのストッパ機能を説明する説明図である。
【発明を実施するための形態】
【００１３】
本発明の実施の形態について添付した図面に基づき説明する。
本発明に係る釣竿保持具は、船釣り等において、釣竿を上下方向のみならず左右方向にも自由に揺動させることのできる釣竿保持具を部品点数を少なく簡素に構成するとともに安価に作製できるようにされ、特に、イカ釣りのようなシャクリ釣りに好適な保持具とされている。
【００１４】
すなわち、図１に示すように、本釣竿保持具１は、船縁等に取り付け可能な取付体２と、釣竿を保持することのできる保持体３を備えており、例えば、釣竿をしゃくることによりコマセ籠に収容されるコマセを撒いたり、釣竿を定期的にしゃくることにより疑似餌に動作を与えたりするような釣り方において特に便利なようにされ、シンプルに構成されたことを特徴としている。
【００１５】
前記取付体２は、略コの字状の取付け枠体４と、この取付け枠体４の下方部に螺合する一対のクランプネジ５を備え、取付け枠体４によって船縁等のフランジ部を上下に挟み込んで締付け固定できるようにされるとともに、取付け枠体４の上部中央には支持柱６を介して略コの字状の揺動受け枠体７が固定されている。
【００１６】
そしてこの揺動受け枠体７には、揺動軸８が水平軸１０まわりに回動可能に設けられており、この揺動軸８の中間部に設けられた嵌合穴８ｈに、以下に述べる保持体３の嵌合軸９が軸周りに回動可能に嵌合している。
【００１７】
保持体３は、前記嵌合軸９と、この嵌合軸９の軸方向とは直交して嵌合軸９に固定される受け棒１１を備えており、この受け棒１１の両側端部は、上方に折り曲げられるとともに、その上端部には、釣竿を上下に挟み込んで固定するためのクランプ具１２が取り付けられている。
【００１８】
そして、前記取付体２を船縁等に取り付けて固定し、クランプ具１２によって釣竿の手元２箇所を固定すると、この釣竿の先端部は揺動軸８によって上下方向に揺動可能となり、また、嵌合軸９によって左右方向にも揺動可能となる。
【００１９】
なお、釣竿を上下に揺動させないで釣る時の釣竿の上下方向の位置を固定するため、揺動受け枠体７と揺動軸８には、ピン挿入孔７ａ（揺動軸８のピン挿入孔は図示せず）を設けており、上下の揺動を必要としない釣り姿勢においては、揺動受け枠体７のピン挿入孔７ａと揺動軸８のピン挿入孔が一致するようにするとともに、図２に示すように、これらピン挿入孔７ａにピン１３を挿入することで揺動軸８の揺動を規制するようにしている。
なお、このピン１３は、亡失しないよう任意の箇所に紐等で吊り下げられている。
【００２０】
前記保持体３の嵌合軸９と、揺動軸８の嵌合穴８ｈの細部について、図５、図６に基づき説明する。
前記嵌合穴８ｈは、図５に示すように、揺動軸８の中心部を直径方向に貫通する貫通孔として形成され、この貫通穴８ｈの中心部に向けて外部から係合ピン１４が差し込まれて固定されるとともに、この係合ピン１４の差込先端部は、貫通穴８ｈ内に僅かに突出している。そしてこの貫通穴８ｈ内への突出部が係合部１４ｋとされ、揺動軸８の外部に張り出した部分がストッパ部１４ｓとされている。
【００２１】
前記嵌合軸９は、図６に示すように、嵌合先端部に先端側が小径となるテーパ部９ｔを備えるとともに、嵌合先端部寄りの中間部に、円周方向に形成される円周溝９ｍを備えており、この円周溝９ｍから嵌合先端側に向けて軸方向に沿ってスリット溝９ｓが形成されている。そして、このスリット溝９ｓの溝幅や、円周溝９ｍの溝幅は、前記係合ピン１４の係合部１４ｋ部分のピン径より若干幅広にされ、嵌合軸９を嵌合穴８ｈに嵌合させる際には、係合部１４ｋとスリット溝９ｓの位相を合せて嵌合させ、係合部１４ｋが円周溝９ｍ部分まで挿入されると、円周溝９ｍに沿って嵌合軸９ｍを軸周りに自由に回動させることができ、係合部１４ｋとスリット溝９ｓが一致しない限り、嵌合軸９を嵌合穴８ｈから抜き出すことができないようにされている。
【００２２】
このため、揺動軸８の嵌合穴８ｈに嵌合軸９を嵌合させると、揺動軸８は軸周りに自由に回動可能となるため、クランプ具１２で釣竿をクランプした状態では、釣竿は左右方向に揺動自在となり、前記係合ピン１４の係合部１４ｋや、円周溝９ｍ等によって左右揺動機構が構成されることになる。
【００２３】
因みに、前記係合ピン１４の係合部１４ｋと、嵌合軸９のスリット溝９ｍの位相を合せるには、保持体３の受け棒１１の軸方向を揺動軸８の軸方向に対して斜め４５度傾ける必要があるようにしている。
【００２４】
ところで、前記係合ピン１４の長さは、図７に示すように、釣竿先端部が下方になるよう、図７の右回りに回転させると、ストッパ部１４ｓが揺動受け枠体７に当接し、それ以上の角度に傾斜しないような長さにしている。
これは、受け棒１１の軸方向が揺動軸８の軸方向に対して４５度傾いた時点で嵌合軸９を引き抜く方向に力を加えると嵌合穴８ｈから抜き取ることができるため、ストッパ部１４ｓで保持体３の角度を規制しない場合には、何らかの都合で受け棒１１の軸方向が揺動軸８の軸方向から４５度傾いた状態になると、保持体３の自重で嵌合軸９が嵌合穴８ｈから抜け出し、保持体３が海中等に落下する恐れが生じるためである。
【００２５】
ところで、前記取付け枠体４の上部には、図１に示すように、保持体３の受け棒１１に係合して位置を固定するための係合部材としてのクリップ具１５が設けられている。このクリップ具１５は、図３に示すように、釣竿先端部が上方になるように保持体３を傾けた際に受け棒１１を挟み込んで固定できるようにされ、受け棒１１の径よりやや幅狭な間隔で対向する一対のスプリング爪を備えている。このような釣竿の姿勢は、例えば、釣りを行っている途中で釣り船を移動させるような際に釣糸を一時的に海中から引き上げておくような場合とか、釣り針に餌を取り付けるような場合に必要となり、このような際に、グリップ具１５で受け棒１１を挟持することで釣竿の姿勢を固定できれば便利である。
【００２６】
また、このような際に釣糸の一部を引っ掛けて保持しておくため、取付け枠体４の上部に、釣糸保持部材１６を設けている。この釣糸保持部材１６は、例えばゴムやプラスチック製等の二枚の円盤を密着状に結合する等によって、両者間に釣糸を挿し込むだけで釣糸を固定できるようにされている。
【００２７】
以上のような釣竿保持具１の作用等について説明する。
取付体２を釣り船の船縁等に固定し、クランプ具１２で釣竿を鋏み込んで固定する。すると、この釣竿は揺動軸８によって上下に揺動自在となり、また、嵌合軸９の揺動によって左右に揺動自在となる。
【００２８】
このため、例えばイカ釣りのようにシャクリ動作を必要とする場合でも、釣竿を両手で支持しておく必要はなく片手で操作できる。また、こませ籠からこませを散布するような場合でも、片手でシャクリ動作することができる。
【００２９】
この際、釣竿を単に上下方向だけでなく左右方向にも移動させることができるので、釣りの領域が広がり、釣果を上げるのに有効である。
【００３０】
そして、例えば釣竿のシャクリ動作を必要としない場合は、揺動受け枠体７のピン挿入孔７ｐから揺動軸８のピン挿入孔にピン１３を挿入すれば、通常の釣り姿勢で固定することができる。
【００３１】
次に、例えば釣りを行っている途中、餌を取り付けたり取り換えたりする場合とか、釣り船の位置を変更するようなときは、釣糸を海中から引き上げてその状態で一時的に待機する必要が生じることがある。この場合は、海中から釣糸を引き上げるように釣竿の手元を下方に倒し、図３に示すように、受け棒１１の一部をグリップ具１５に係合させ、固定する。そして、例えば船を移動させるようなときは、必要に応じて釣糸の下端部を釣糸保持部材１６に引っ掛けて保持しておけば便利である。
【００３２】
以上のような釣竿保持具１は極めて簡単で簡素に構成できるため、費用が安価であり、しかも操作性も良好である。
【００３３】
なお、本発明は以上のような実施形態に限定されるものではない。本発明の特許請求の範囲に記載した事項と実質的に同一の構成を有し、同一の作用効果を奏するものは本発明の技術的範囲に属する。
例えば、この釣竿保持具１はイカ釣り用の保持具に限定されるものではなく、また、グリップ具１５や釣糸保持部材１６の具体的構成等は例示である。
【産業上の利用可能性】
【００３４】
釣竿を保持する保持具として、上下方向の揺動のみならず左右方向への揺動を自在に行える構造が簡素で且つ取り扱い容易に構成できるため、特に海釣り用の釣り船等における広い範囲での普及が期待される。
【符号の説明】
【００３５】
１…釣竿保持具、２…取付体、３…保持体、８…揺動軸、８ｈ…嵌合穴、９…嵌合軸、９ｍ…円周溝、９ｓ…スリット溝、１４…係合ピン、１５…グリップ具、１６…釣糸保持部材。
【図１】
2011211986.tif 000003
【図２】
2011211986.tif 000004
【図３】
2011211986.tif 000005
【図４】
2011211986.tif 000006
【図５】
2011211986.tif 000007
【図６】
2011211986.tif 000008
【図７】
2011211986.tif 000009
【手続補正書】
【提出日】平成22年8月24日(2010.8.24)
【手続補正１】
【補正対象書類名】特許請求の範囲
【補正対象項目名】全文
【補正方法】変更
【補正の内容】
【特許請求の範囲】
【請求項１】
船縁等に取り付けるための取付体と、釣竿を保持するための保持体を備え、この保持体に保持される釣竿の先端部が、水平軸まわりに回動自在な揺動軸によって上下方向に揺動自在にされる釣竿保持具であって、前記揺動軸の内部に、釣竿の先端部を左右方向に揺動させるための左右揺動機構が組み込まれ、また、前記揺動軸には、釣竿先端部が下方になるように保持体を揺動させる際、保持体の揺動角度が一定以上にならないように規制するためのストッパが設けられることを特徴とする釣竿保持具。
【請求項２】
前記取付体には、釣竿先端部が上方になるように保持体を縦向き姿勢にした際に保持体の一部に係合して該保持体を固定する係合部材が設けられることを特徴とする請求項１に記載の釣竿保持具。
【請求項３】
前記取付体には、釣糸の一部を引っ掛けて保持するための釣糸保持部材が設けられることを特徴とする請求項１又は請求項２に記載の釣竿保持具。
【手続補正２】
【補正対象書類名】明細書
【補正対象項目名】０００６
【補正方法】変更
【補正の内容】
【０００６】
上記目的を達成するため本発明は、船縁等に取り付けるための取付体と、釣竿を保持するための保持体を備え、この保持体に保持される釣竿の先端部が、水平軸まわりに回動自在な揺動軸によって上下方向に揺動自在にされる釣竿保持具において、前記揺動軸の内部に、釣竿の先端部を左右方向に揺動させるための左右揺動機構を組み込み、また、前記揺動軸に、釣竿先端部が下方になるように保持体を揺動させる際、保持体の揺動角度が一定以上にならないように規制するためのストッパを設けるようにした。
【手続補正３】
【補正対象書類名】明細書
【補正対象項目名】０００８
【補正方法】変更
【補正の内容】
【０００８】
また、左右揺動機構として、例えば、釣竿を保持する保持体の嵌合軸を、揺動軸に形成した嵌合穴に嵌合させるような場合に、保持体の姿勢が垂直姿勢に近づくと、嵌合軸が水平姿勢に近づき、釣竿の自重等によって嵌合軸が嵌合穴から外れて釣竿が船外等に落下しやすくなる。このため、ストッパによって保持体の揺動角度を一定に規制することで、嵌合軸が嵌合穴から外れやすくなるような不具合を抑制できる。